(57)【特許請求の範囲】
【請求項１】
廃棄物又はリサイクル可能な材料が手提げ袋、袋又はサック（１）に入った状態で搬送される、廃棄物処理システムにおける方法であって、該廃棄物処理システムに与える情報を有するＲＦＩＤ識別子（３）が設けられた閉鎖手段（２）を、廃棄物搬送において使用される該手提げ袋、袋、サック若しくは同等物を閉鎖する際に使用するか、又は、廃棄物搬送において使用される該手提げ袋、袋、サック若しくは同等物の閉鎖を確実にするものとして使用し、該閉鎖手段（２）は接着剤表面（２０５）を含み、該接着剤表面（２０５）を用いて該閉鎖手段を手提げ袋、袋又はサック（１）に取り付けることができ、該閉鎖手段は少なくとも１つの可視的な識別子を含むことを特徴とする、方法。
【請求項２】
該方法において、プラスチック手提げ袋、プラスチックサック又はプラスチック袋のような手提げ袋、袋又はサック（１）を、廃棄物搬送において使用することを特徴とする、請求項１に記載の方法。
【請求項３】
該手提げ袋、袋又はサック（１）は、ユーザーによって自由に選択されることを特徴とする、請求項２に記載の方法。
【請求項４】
該閉鎖手段（２）は、パターン、色、コード、表示又は同等物のような少なくとも１つの第１の可視的な識別子（２１、２２、２３）を含み、該識別子は、閉鎖するのに該閉鎖手段（２）が使用される、袋、手提げ袋、サック又は同等物に収容されている廃材又はリサイクル可能な材料の種類を規定することを特徴とする、請求項１乃至３のいずれか一項に記載の方法。
【請求項５】
該閉鎖手段（２）は、家庭のようなユーザーコミュニティを表す、表示、コード又は同等物のような少なくとも１つの第２の可視的な識別子（２４、２５）を含むことを特徴とする、請求項１乃至４のいずれか一項に記載の方法。
【請求項６】
接着剤表面（２０５）を片側面に有するテープが該閉鎖手段（２）として使用されることを特徴とする、請求項１乃至５のいずれか一項に記載の方法。
【請求項７】
該閉鎖手段（２）は台紙部（２０３）を含み、該台紙部は、該接着剤表面（２０４）を保護しており、該閉鎖手段が手提げ袋、袋又はサックに取り付けられる前に剥離されることを特徴とする、請求項１乃至６のいずれか一項に記載の方法。
【請求項８】
ＲＦＩＤ識別子の読取りユニットが該廃棄物システムのゴミ置き場に関連して配置され、該読取りユニットは、該ＲＦＩＤ識別子が与える情報に基づいて、該廃棄物搬送システム又は該廃棄物搬送システムのゴミ置き場を制御するのに適していることを特徴とする、請求項１乃至７のいずれか一項に記載の方法。
【請求項９】
該方法において、廃棄物はＲＦＩＤ識別子（３）が与える情報に基づいて様々な区分に分別されることを特徴とする、請求項１乃至８のいずれか一項に記載の方法。
【請求項１０】
閉鎖手段（２）のＲＦＩＤ識別子（３）を用いて廃棄物搬送システムの廃棄物の搬送を最適化することを特徴とする、請求項１乃至９のいずれか一項に記載の方法。
【請求項１１】
該方法において、該閉鎖手段（２）は、複数の閉鎖手段を含むシート（２００）又はウェブ、例えばロールに構成され、該シート又はウェブから閉鎖手段が必要に応じて個々に外されることを特徴とする、請求項１乃至１０のいずれか一項に記載の方法。
【請求項１２】
閉鎖手段シート（２００）における隣接し合う閉鎖手段（２）間に切れ目（２０１）が形成され、該切れ目（２０１）は該閉鎖手段（２）の表面から該台紙部（２０３）まで延在していることを特徴とする、請求項１乃至１１のいずれか一項に記載の方法。
【請求項１３】
閉鎖手段シート（２００）における本質的に隣接し合う閉鎖手段（２）間の該台紙部（２０３）にミシン目（２０２）又は同等物が形成され、該ミシン目に沿って、該閉鎖手段（２）を台紙部と共に該シート（２００）から切り離すことができることを特徴とする、請求項１乃至１２のいずれか一項に記載の方法。
【請求項１４】
該閉鎖手段を取り付ける際に該接着剤表面の前面からの該台紙部（２０３）の剥離を容易にするように、切れ目（２０４）又は同等物が該台紙部（２０３）に形成されることを特徴とする、請求項１乃至１３のいずれか一項に記載の方法。
【請求項１５】
廃棄物搬送において使用される袋、手提げ袋、サック又は同等物を閉鎖するか又は廃棄物搬送において使用される袋、手提げ袋、サック又は同等物の閉鎖を確実にする閉鎖手段であって、該閉鎖手段（２）は廃棄物搬送に関する情報を有するＲＦＩＤ識別子（３）を含み、該閉鎖手段（２）は接着剤表面（２０５）を含み、該接着剤表面により該閉鎖手段を手提げ袋、袋若しくはサック又は同等物に取り付けることができ、該閉鎖手段（２）は少なくとも１つの可視的な識別子を含むことを特徴とする、閉鎖手段。
【請求項１６】
該閉鎖手段（２）は、パターン、色、コード、表示又は同等物のような少なくとも１つの第１の可視的な識別子（２１、２２、２３）を含み、該識別子（２１、２２、２３）は、閉鎖するのに該閉鎖手段（２）の使用が適している、袋、手提げ袋、サック又は同等物に収容されている廃材又はリサイクル可能な材料の種類を規定することを特徴とする、請求項１５に記載の閉鎖手段。
【請求項１７】
該閉鎖手段（２）は、家庭のようなユーザーコミュニティを表す、表示、コード又は同等物のような少なくとも１つの第２の可視的な識別子（２４、２５）を含むことを特徴とする、請求項１５又は１６に記載の閉鎖手段。
【請求項１８】
該閉鎖手段（２）は片側面に接着剤表面を有するテープを含むことを特徴とする、請求項１５乃至１７のいずれか一項に記載の閉鎖手段。
【請求項１９】
該閉鎖手段（２）は、複数の閉鎖手段を含むシート（２００）又はウェブ、例えばロールに構成され、該シート又はウェブから閉鎖手段（２）が必要に応じて例えば個々に外されることを特徴とする、請求項１５乃至１８のいずれか一項に記載の方法。
【請求項２０】
該閉鎖手段（２）は台紙部（２０３）を含み、該台紙部は、該接着剤表面（２０４）を保護しており、該閉鎖手段を取り付ける前に剥離されるのに適していることを特徴とする、請求項１５乃至１９のいずれか一項に記載の閉鎖手段。
【請求項２１】
閉鎖手段シート（２００）における隣接し合う閉鎖手段（２）間に切れ目（２０１）が形成され、該切れ目（２０１）は該閉鎖手段（２）の表面から該台紙部（２０３）まで延在していることを特徴とする、請求項１５乃至２０のいずれか一項に記載の閉鎖手段。
【請求項２２】
閉鎖手段シート（２００）における本質的に隣接し合う閉鎖手段（２）間の該台紙部（２０３）にミシン目（２０２）又は同等物が形成され、該ミシン目に沿って、該閉鎖手段（２）を台紙部（２０３）と共に該シート（２００）から切り離すことができることを特徴とする、請求項１５乃至２１のいずれか一項に記載の閉鎖手段。
【請求項２３】
該閉鎖手段を取り付ける際に該接着剤表面の前面からの該台紙部（２０３）の剥離を容易にするように、切れ目（２０４）又は同等物が該台紙部（２０３）に形成されることを特徴とする、請求項１５乃至２２のいずれか一項に記載の閉鎖手段。
【請求項２４】
該閉鎖手段（２）は、地方自治体のような地方廃棄物管理業者又は地方廃棄物管理団体の名称又は他の識別子を含むことを特徴とする、請求項１５乃至２３のいずれか一項に記載の閉鎖手段。
【発明の詳細な説明】
【技術分野】
【０００１】
本発明の対象は、請求項１のプリアンブルに規定される方法である。
【０００２】
本発明の対象はまた、請求項１５のプリアンブルに規定される閉鎖手段である。
【０００３】
本発明は包括的に廃棄物処理に関し、より詳細には廃棄物分別に関する。
【背景技術】
【０００４】
今日、例えば家庭廃棄物に関して、家庭では廃棄物を入れるゴミ袋として様々な袋、サック又は手提げ袋を使用することが一般的である。例えば、フィンランドでは、店からのプラスチック手提げ袋（買った品物を入れて家に持ち帰ったものである）をゴミ袋として使用することが普通である。廃棄物はプラスチック手提げ袋に入った状態でゴミ箱に運ばれ、ゴミ箱には通常、この袋とその中身とが結び目で閉鎖された状態で投入される。廃棄物はさらなる処理のためにゴミ収集車によってその先へ搬送される。それに応じて、当該技術分野では空気圧式廃棄物搬送システムが知られおり、当該システムにおいて、廃棄物はゴミ袋に入った状態でゴミ置き場からさらなる処理のために移送配管に搬送される。いずれの方法にも、特に、廃棄物の分別がやっかいであるという一欠点がある。多くの場合、ユーザーは、廃棄物を様々な区分（allotment）に敢えて分別しようとせずに代わりに全ての廃棄物を同じゴミ袋及びゴミ箱に混ぜ入れる可能性がある。この場合に混合廃棄物が生じ、その再生利用は困難である。
【０００５】
様々な種類の廃棄物が様々な色のゴミ袋又はゴミ箱のような様々な容器に入った状態で搬送されるように取り計らわれる、廃棄物を分別する解決策が当該技術分野において知られている。例えば、家庭では様々な種類の廃棄物を様々な色のゴミ袋に入れる。或る特定の色のゴミ袋が各種の廃棄物用に指定されている。廃棄物は、例えば普通のゴミ収集車で廃棄物センターに搬送され、廃棄物センターにおいて、ゴミ袋の色に基づいて様々な区分に分別される。廃棄物を光学的に分別することは特許文献１に記載されている。ここでの欠点は、各種の廃棄物を分別する目的でゴミ袋が別々に配置されねばならないという点である。別の欠点は、汚れた環境の中でゴミ袋を分別する際に使用される自動式光学分別装置の動作の不確実性でもある。廃棄物の分別は特許文献２に記載されている。
【０００６】
一方で、家庭のような廃棄物排出者（waste producer）が各種の廃棄物に合わせた適正な色のゴミ袋を使用する保証はない。システムの誤用者に自身の習慣を変えさせることは難しい。他方で、事が起こった後で誤用者を特定又は追跡することはほとんど不可能である。
【０００７】
さらに、ゴミ袋としてプラスチック手提げ袋又はプラスチック袋を使用する場合、例えば手提げ用の把持部から作られた当該袋の結び目が開くことはよくあることだが、その場合、廃棄物が搬送中に袋の外へとめどなく広がる可能性がある。これは、搬送車、ゴミ箱及び／又は他のゴミ袋の外側を汚し、分別プロセスを妨げ、衛生上の問題も生じさせる。
【先行技術文献】
【特許文献】
【０００８】
【特許文献１】欧州特許出願公開第０７５９８１６号
【特許文献２】国際公開第０３０３９７７３号
【発明の概要】
【発明が解決しようとする課題】
【０００９】
本発明の目的は新規のタイプの解決策を達成することであり、この解決策によって従来技術の課題を解決することができる。
【課題を解決するための手段】
【００１０】
本発明は、ＲＦＩＤ識別子を設けた閉鎖手段がゴミ袋を閉鎖するのに使用されるという概念に基づいている。
【００１１】
本発明の方法は主として、請求項１に開示されるものによって特徴付けられる。
【００１２】
本発明の方法はまた、請求項２〜１４に開示されるものによって特徴付けられる。
【００１３】
本発明の閉鎖手段は主として、請求項１５に開示されるものによって特徴付けられる。
【００１４】
本発明の閉鎖手段はまた、請求項１６〜２５に開示されるものによって特徴付けられる。
【００１５】
本発明による解決策は複数の重要な利点を有する。本発明による閉鎖手段を使用することによって、一方で、ゴミ袋、手提げゴミ袋、ゴミ用サック又は同等物が搬送時に閉鎖状態のままであること、及び、以前よりも効果的な分別等、システムの動作を、ＲＦＩＤ識別子によって制御することができることも確実にする。ＲＦＩＤ識別子を閉鎖手段に配置することにより、廃棄物搬送において袋、手提げ袋、サック又は同等物のどのようなものも使用が可能となり、特定の廃棄物区分に特に意図した別個の搬送用容器を必要としない。本発明の好ましい一実施の形態によれば、ＲＦＩＤ識別子のリーダーは、ゴミ箱、又はゴミ庫のようなゴミ置き場に関連するものとすることができる。廃棄物搬送システムに関連して、この場合では様々な材料に対して便宜的に１つのゴミ置き場又はゴミ箱だけを使用することが可能であり、その場合、廃棄物はＲＦＩＤ識別子に応じて後でシステム内の様々な区分に分別される。また、本発明によるＲＦＩＤ識別子を有しない廃材がシステムのゴミ置き場に給送されることを防止することもできる。
【００１６】
ＲＦＩＤ識別子を用いて、或る特定のユーザーが運び込んだ廃棄物の量を記録することができ、その場合、請求書を作成する原則（invoicing principles）を変えることができる。他方で、ユーザーは、廃棄物の分別に対し、例えばリサイクルに適した廃棄物の廃棄物搬送料金の低減によって報われることができる。
【００１７】
典型的な実施の形態によれば、閉鎖手段は、例えば各廃棄物区分に合った色のＲＦＩＤ貼付けテープである閉鎖用貼付けテープであり、この貼付けテープは、例えば廃棄物の種類に応じて文字識別子も含む。加えて、各家庭、住宅建設業者、企業その他の廃棄物排出者に応じて別個に指定される識別番号又は他の識別子を閉鎖手段及び／又はＲＦＩＤ識別子用に形成することができる。閉鎖手段は廃棄物の種類の絵図も含むことができ、その絵図に関連して該当する閉鎖手段が使用されるように意図される。
【００１８】
したがって、本発明は、店の普通のプラスチック手提げ袋を用いて利用することができ、これらの袋が本発明による閉鎖手段を用いて閉鎖される。手提げ袋に廃棄物を入れ、その手提げループを結ぶことによって手提げ袋を閉鎖する。一般的な方法は、初めに１つの結び目を作ることであり、その後、閉鎖手段、好ましくは貼付けテープを結び目の頂部に配置し、手提げ袋の結び目の上に取り付ける。その後、手提げループを用いて第２の結び目を作ることができる。この場合でのＲＦＩＤ識別子は部分的に保護されたままであり、搬送による損傷を回避する。本発明による閉鎖手段はゴミ袋の結び目が開くことも防止する。
【００１９】
ゴミ袋がゴミ収集車によって従来的に又は空気圧式廃棄物搬送システムによるような何らかの他の方法で搬送される、廃棄物分別センターにおいて、ゴミ袋はＲＦＩＤ識別子が与える情報に基づいて様々な廃棄物区分に分別される。この後、ゴミ袋は引き裂かれて残りの廃棄物から取り除かれる。本発明による閉鎖手段のＲＦＩＤ識別子は、分別された廃棄物区分からゴミ袋が取り除かれていることをリーダー手段の助けにより確認するものとしてさらに使用することができる。
【００２０】
ＲＦＩＤ識別子を含む専用の閉鎖手段が各廃棄物区分に合わせて取り計らわれる。例えば、リサイクル可能な紙は対応する方法で処理される。この場合では、新聞等の紙が袋に入れられ、ＲＦＩＤ識別子を含む本発明による閉鎖手段を用いて閉鎖される。
【００２１】
本発明による閉鎖手段は、例えばロールに構成されている、複数の閉鎖手段を含むウェブとして提供することもできる。このタイプの閉鎖手段ロールは好ましくは、各２つの連続した閉鎖手段間に切取り箇所を含む。閉鎖手段の切取りは、閉鎖手段をロールから切り離しやすくするようにロールにミシン目又は同等物を配することによって容易にすることができる。本発明による閉鎖手段は、複数の閉鎖手段を含むシートとして提供することができる。このタイプの閉鎖手段シートは、各隣接し合う閉鎖手段間に切取り箇所を含む。閉鎖手段シートは好ましくは、閉鎖手段の接着剤表面を保護する台紙部を含む。閉鎖手段をシートから切り離しやすくするように、ミシン目又は同等物が好ましくは台紙部に形成される。一般的には、閉鎖手段間に切れ目があり、この切れ目は閉鎖手段の表面から台紙部まで延在しているが台紙部を貫通しない。この場合では、閉鎖手段は、（例えば絆創膏のように）閉鎖手段シートから切り離すことが容易である。
【００２２】
本発明による閉鎖手段を用いることによって、空気圧式廃棄物搬送システムの動作等、廃棄物搬送システムの動作を以前よりも正確に最適化することができる。例えば、配管内で移送される廃棄物の速度及び量を、ゴミ袋の閉鎖手段のＲＦＩＤ識別子、及び搬送システム内に配置されているＲＦＩＤリーダーによって、より容易に測定することができる。同様に、ゴミ置き場から廃棄物ステーションへの移送時間を判断することができ、その場合、次のゴミ置き場を空にすることを最適化することができる。
【００２３】
ゴミ置き場は、ゴミ袋にＲＦＩＤ識別子を含む閉鎖手段が設けられていない場合は廃棄物を受け入れないように構成することができる。
【００２４】
ＲＦＩＤ識別子は、ゴミ箱又はゴミ置き場の充填度（filling degree）を報告することもできる。この場合、廃棄物の搬送を最適化することができる。搬送は、充填度が限度を超えた場合にのみ行われる。これによりエネルギーの節約となり、排気が低減する。ＲＦＩＤ識別子は廃棄物の内容物を報告することもできる。廃棄物がたくさんの分解可能な物を含んでいる場合、その場所への設定時間内の収集を要請することができる。ＲＦＩＤ識別子はまた、温度報知、すなわち火災報知を与えることもできる。ＲＦＩＤ識別子はまた、廃棄物がゴミ箱にいつ入れられたか、及びどのゴミ箱に入れられたかを報告することができ、その場合、廃棄物の量、種類及び傾向に関する情報が得られる。
【００２５】
空気圧式パイプ搬送において本発明による閉鎖手段を用いることは、様々な区分に専用のゴミ置き場を必要とせず、代わりに全ての廃棄物が同じゴミ置き場行きとなるという利点を有する。通常の廃棄物搬送では、１種類のゴミ容器しか必要とせず、３〜４台のゴミ収集車に代わって１台だけのゴミ収集車がそれらのゴミ容器を収集する。混合廃棄物、生物系廃棄物、ガラス廃棄物、金属廃棄物及び紙廃棄物のような全ての廃棄物が１つの袋に入れられる場合にも有利である。この場合では、区分及び配管がない状態であり、それらの管搬送がより容易である。袋は分別センターにおいて自動的に取り除かれる。
【００２６】
本発明は、ＲＦＩＤ識別子を含む専用の閉鎖手段が各家庭又は他の廃棄物排出団体又は同等の場所に提供されるように好ましい一実施の形態に従って適用することができる。これは分別に役立つ。さらに、本発明による閉鎖手段とＲＦＩＤ識別子との組み合わせによって、どこで廃棄物処理システムのコストが発生するかを示すことが容易である。料金は以前よりも正確に廃棄物排出者に割り振ることができる。
【００２７】
好ましい一実施の形態によれば、家庭は一定の廃棄物料金を負担し、分別センターにおいて分別されたゴミ袋ごとに控除を受ける。ＲＦＩＤ識別子の自動的な読取りに基づいて、システムは、控除が正確な対象者に届くように、分別された廃棄物を情報システムによって割り振ることができる。
【００２８】
家庭の識別と同様、分別センターでのＲＦＩＤ識別子に基づいた分別は非常に容易である。したがって、ＲＦＩＤ識別子を閉鎖手段内に配置することは廃棄物分別に数多くの好条件を与える。
【００２９】
以下において、添付図面を参照しながら幾つかの実施形態を用いて本発明を詳細に説明する。
【図面の簡単な説明】
【００３０】
【図１】ゴミ袋に関連して本発明による閉鎖手段の一実施形態を示す図である。
【図２】第１の方向から見た、ゴミ袋に関連して本発明による閉鎖手段の詳細を示す図である。
【図３】第２の方向から見た、ゴミ袋に関連して本発明による閉鎖手段の詳細を示す図である。
【図４】第１の方向から見た、本発明による閉鎖手段シートを示す図である。
【図５】第２の方向から見た、本発明による閉鎖手段シートを示す図である。
【図６】第１の方向から見た、閉鎖手段シートからの閉鎖手段の切離しの詳細図である。
【図７】第２の方向から見た、閉鎖手段シートからの閉鎖手段の切離しの詳細図である。
【図８】本発明による閉鎖手段の一実施形態を示す図である。
【図９】本発明による閉鎖手段シートの一実施形態を示す図である。
【図１０】本発明による幾つかの閉鎖手段の幾つかの実施形態を示す図である。
【図１１】本発明による閉鎖手段の使用に関する一連の絵を示す図である。
【発明を実施するための形態】
【００３１】
図１は、ＲＦＩＤ識別子３を設けた本発明による閉鎖手段２が取り付けられているゴミ袋１を示す。閉鎖手段２は、この図の実施形態では、ゴミ袋１に作られた結び目１０の上に配置されており、その場合、搬送時に結び目１０が開くことを防止する。結び目１０は、例えば袋１の手提げループ１１を結ぶことによって作られる。閉鎖手段２は、袋１の外表面に対面する側に接着剤表面を含み、その場合、接着剤表面は袋の外表面に貼着する。
【００３２】
図２の場合における閉鎖手段は台紙部を含み、この台紙部上に、ＲＦＩＤ識別子３が当該技術分野においてそれ自体既知の方法で配置されている。台紙は好ましくは、接着剤表面により容易にゴミ袋に取り付けることができる積層貼付紙（sticker laminate）又は同等物である。図２は、ＲＦＩＤ識別子の部品の概略的な簡略図も示す。ＲＦＩＤ識別子は、メモリー部（チップ）及びアンテナ部を含む。ＲＦＩＤ識別子は好ましくは、パッシブＲＦＩＤ識別子であり、その場合、自身の電源を必要としない。
【００３３】
図２及び図３は、本発明による閉鎖手段がゴミ袋１に関連して配置されている状況を簡略形態で示す。閉鎖手段２は、少なくとも１つの台紙部２０３によって保護されている接着剤表面２０５を含み、この台紙部は閉鎖手段を袋に取り付けられる前に剥離される。図２によれば、２つの台紙部２０３があり、その場合、これらの台紙部は引き剥がすことによって台紙部のオーバーラップ２０６から剥離することができる。オーバーラップ２０６は、台紙部２０３の剥離を容易にするように当該台紙部の上に形成されている。一実施形態（図７）によれば、切れ目２０４が台紙部に形成されており、この切れ目から台紙部が２つの部分に分断される。
【００３４】
図４及び図５によれば、閉鎖手段２はシート２００に構成されており、このシート２００から閉鎖手段２が必要に応じて例えば個々に使用される。図４によれば、隣接し合う閉鎖手段の間に切れ目２０１が形成されており、この切れ目により閉鎖手段が互いに分離している。この切れ目は通常、閉鎖手段の表面から台紙部まで延在しているが台紙部を貫通しない。図５は、台紙部側からの図４の閉鎖手段シートを示す。一実施形態によれば、台紙部の、隣接し合う閉鎖手段を分離する切れ目の箇所に、ミシン目２０２又は同等物が形成される。閉鎖手段２は、ミシン目２０２に沿って引き裂くことによって閉鎖手段シート２００及び台紙から切り離すことが容易である。図６及び図７は、シート２００から切り離された閉鎖手段の１つを示す。
【００３５】
図５によれば、閉鎖手段に対して横断している切れ目２０４を台紙部２０３に形成することができ、この切れ目は台紙部を貫通するが実際の閉鎖手段を貫通しない。
【００３６】
図８は、閉鎖手段２の好ましい一実施形態を示す。ＲＦＩＤ識別子３に加え、閉鎖手段２には他の識別子２１、２２、２３、２４、２５、２６も設けられている。この図の実施形態では、閉鎖手段は文字表示２１を含み、この文字表示は、該当する閉鎖手段が意図する廃棄物の種類を文字で表している。文字による表示２１は複数の異なる言語で記載することができる。色コード２２が閉鎖手段２の表面に形成されており、この色コードは閉鎖手段の領域の一部又は閉鎖手段全体のサイズとすることができる。加えて、閉鎖手段２は絵図コード又は描画コード２３を含むことができ、このコードは閉鎖手段が意図する廃棄物の種類を表している。閉鎖手段は、家庭、企業又は団体のような廃棄物排出者コミュニティを表す顧客コード２４を含むことができる。顧客コード２４は一般的に英数字情報である。さらに、閉鎖手段はバーコード２５又は他の可視的なグラフィックコードを含むことができる。さらに、リサイクル目的の廃棄物群の閉鎖手段は、リサイクル表示のあるコードを含むことができる。加えて、閉鎖手段２は製造業者又は販売業者の情報又は広告を含むことができる。さらに、閉鎖手段は、地方廃棄物管理業者又は地方廃棄物管理団体の名称又は他の識別子を含むことができる。
【００３７】
ＲＦＩＤ識別子は、それ自体が当該技術分野において既知の方法で閉鎖手段内に配置することができる。閉鎖手段は、各廃棄物区分に合う色に十分に応じることができ、すなわち該当する色をその表面に加えるか又は印刷することができる。対応して、他の表示を閉鎖手段に印刷又は形成することができる。
【００３８】
図９は、複数の閉鎖手段２を含む、或る種類の廃棄物の閉鎖手段シート２００を示す。
【００３９】
図１０は、様々な閉鎖手段２ａ、２ｂ、２ｃ、２ｄ、２ｅ、２ｆ、２ｇの幾つかの例を示し、これらの閉鎖手段は様々な種類の廃棄物を収容しているゴミ袋を閉鎖するように意図されている。図１０の実施形態は、混合廃棄物用に意図された閉鎖手段２ａ、金属用に意図された閉鎖手段２ｂ、板紙廃棄物用に意図された閉鎖手段２ｃ、生物系廃棄物用に意図された閉鎖手段２ｄ、有害廃棄物用に意図された閉鎖手段２ｅ、紙用に意図された閉鎖手段２ｆ及びガラス用に意図された閉鎖手段２ｇを示す。また、他の廃材を必要に応じて独自の識別子で表示することができる。
【００４０】
代替的に、閉鎖手段２を、口部の周りにきつく巻き付けることによって、ゴミ用サックの口部の従来の閉塞具として用いることができる。所望される場合は、口部をさらに結ぶことができるか又は追加の閉塞具を設けることができる。
【００４１】
閉鎖手段２とＲＦＩＤ識別子３との本発明による組み合わせを、例えば以下のように廃棄物搬送システムに関連して用いることができる。本発明による閉鎖手段、すなわち、閉鎖手段とＲＦＩＤ識別子とを組み合わせたものが、家庭又は他の廃棄物排出者に配布又は交付される。通常、或る廃棄物区分用の閉鎖手段２を含む閉鎖手段シート２００が配布される。ＲＦＩＤ識別子は各廃棄物排出者のコード又は対応する識別子を含み、このコードを用いて、必要であれば廃棄物排出者を識別することができる。好ましい一実施形態によれば、閉鎖手段２は色コード等の識別コードを含み、この識別コードに応じて、閉鎖手段が、各分別されたゴミ袋に関連して決められたとおりにシステムにおいて使用される。色コードは、閉鎖手段全体のサイズ、又はパターン若しくは文字であるものとすることができる。或る特定の色の色コードを混合廃棄物用に、第２の色コードを生物系廃棄物用に、対応して独自の色コードをリサイクル可能な材料用に定めることが考えられる。この場合、ユーザーは、或る特定の種類の廃棄物を含むゴミ袋に、対応する色コードを含む閉鎖手段を付ける。
【００４２】
このようにして、ユーザーが所望するゴミ袋を異なる廃棄物区分のどのようなものにも関連して用いることができ、廃棄物排出者は、本発明による閉鎖手段及びＲＦＩＤ識別子の色コードをゴミ袋に付けるだけである。また通常、ＲＦＩＤ識別子は、当該ＲＦＩＤ識別子が関連して用いられる廃棄物の種類をすでに含んでもいる。
【００４３】
本発明の好ましい一実施形態によれば、ＲＦＩＤ識別子のリーダーがゴミ箱の蓋又はゴミ置き場の扉口に関連しているものとすることができ、これにより、該当するゴミ箱又はゴミ置き場に意図された廃棄物だけを該当するゴミ箱に給送することが可能となる。特に、空気圧式廃棄物搬送システムに関連して、１つのゴミ置き場だけをこの場合では便宜上様々な材料用に使用することができ、その場合、システムはＲＦＩＤ識別子に応じて後で廃棄物を様々な区分に分別する。同時に、本発明によるＲＦＩＤ識別子を有しない廃材をシステムのゴミ置き場に給送することを防止することもできる。
【００４４】
ＲＦＩＤ識別子を用いて、或る特定のユーザーによって運び込まれた廃棄物の量を記録することができ、その場合、請求書を作成する原則を変えることができる。他方で、ユーザーは、廃棄物の分別に対し、例えばリサイクルに適した廃棄物の廃棄物搬送料金の低減によって報われることができる。
【００４５】
典型的な実施形態によれば、閉鎖手段は、廃棄物区分の色を有するＲＦＩＤ貼付けテープである閉鎖用貼付けテープであり、この貼付けテープは、例えば廃棄物の種類に応じて文字識別子を含む。加えて、各家庭、住宅建設業者、企業その他の廃棄物排出者に応じて別個に指定される識別番号又は他の識別子を閉鎖手段及び／又はＲＦＩＤ識別子用に形成することができる。
【００４６】
したがって、本発明は、店の普通のプラスチック手提げ袋を用いることによって利用することができ、これらの袋が本発明による閉鎖手段２を用いて閉鎖される。手提げ袋に廃棄物を入れ、その手提げループを結ぶことによって手提げ袋を閉鎖する。一般的な方法は、初めに１つの結び目を作ることであり、その後、閉鎖手段、好ましくは貼付けテープを結び目の頂部に配置し、手提げ袋の結び目の上に取り付ける。その後、手提げループを用いて第２の結び目を作る。ＲＦＩＤ識別子はこの場合、部分的に保護されたままであり、搬送による損傷を回避する。本発明による閉鎖手段はゴミ袋の結び目が開くことも防止する。
【００４７】
図１１は、明確にするため、ゴミ袋に関連した閉鎖手段の使用を一連の図としてさらに示す。図１１（ａ）は、手提げループ１１を用いて作られた結び目１０を含む普通のゴミ袋１を示している。図１１（ｂ）では、１つの閉鎖手段２を閉鎖手段シート２００から切り離す。図１１（ｃ）では、閉鎖手段をゴミ袋に、好ましくは結び目１０の頂部に配置する。所望であれば、さらに別の結び目を図１１（ｄ）で行われるように閉鎖手段２の頂部に手提げループを用いて作ることができる。この後、ゴミ袋１は、図１１（ｅ）で行われるようにゴミ箱のようなゴミ置き場に投入する準備が整う。
【００４８】
ゴミ袋がゴミ収集車によって従来的に又は空気圧式廃棄物搬送システムによるような何らかの他の方法で搬送される、廃棄物分別センターにおいて、ゴミ袋はＲＦＩＤ識別子が与える情報に基づいて様々な廃棄物区分に分別される。この後、ゴミ袋は引き裂かれて残りの廃棄物から取り除かれる。本発明による閉鎖手段のＲＦＩＤ識別子は、分別された廃棄物区分からゴミ袋が取り除かれていることをリーダー手段の助けによって確認するものとしてさらに使用することもできる。
【００４９】
ＲＦＩＤ識別子を含む専用の閉鎖手段は各廃棄物区分に合わせて取り計らわれる。例えば、リサイクル可能な紙はそれに対応する方法で処理される。この場合、新聞等の紙が袋に入れられ、ＲＦＩＤ識別子を含む本発明による閉鎖手段を用いて閉鎖される。
【００５０】
本発明による閉鎖手段は、例えばロールに構成されている、複数の閉鎖手段を含むウェブとして提供されることもできる。このタイプの閉鎖手段ロールは好ましくは、各２つの連続した閉鎖手段間に切取り箇所を含む。閉鎖手段の切取りは、閉鎖手段をロールから切り離しやすくするように、ロールにミシン目又は同等物を配することによって容易にすることができる。
【００５１】
空気圧式廃棄物搬送システムの動作は、以前よりも正確に最適化することができる。例えば、配管内で搬送される廃棄物の速度及び量を、ゴミ袋の閉鎖手段のＲＦＩＤ識別子、及び配管又は搬送システム内に配置されているＲＦＩＤリーダーによって、より容易に測定することができる。同様に、ゴミ置き場から廃棄物ステーションへの移送時間を判断することができ、その場合、次のゴミ置き場を空にすることを最適化することができる。例えば、廃棄物コードＸがゴミ置き場Ａから出て、この廃棄物コードが配管の地点Ｙにくると、その場合、次のゴミ置き場Ｂが使用可能となることができる。
【００５２】
ゴミ置き場は、ゴミ袋にＲＦＩＤ識別子を含む閉鎖手段が設けられていない場合は廃棄物を受け入れないように構成することができる。
【００５３】
ＲＦＩＤ識別子は、ゴミ箱又はゴミ置き場の充填度を報告することもできる。この場合、廃棄物の搬送を最適化することができる。搬送は、充填度が限度を超えた場合にのみ行われる。これによりエネルギーを節約し、排気が低減する。ＲＦＩＤ識別子は廃棄物の内容物を報告することもできる。廃棄物が分解可能な何かを含んでいる場合、その場所への収集を要請することができる。ＲＦＩＤ識別子は、温度報知、すなわち火災報知を与えることもできる。ＲＦＩＤ識別子は、廃棄物がいつゴミ箱に入れられたか、及びどのゴミ箱に入れられたかを報告することもでき、その場合、廃棄物の量、種類及び傾向に関する情報が得られる。
【００５４】
空気圧式パイプ搬送において本発明による閉鎖手段を用いることは、様々な区分のための専用のゴミ置き場を必要とせず、代わりに全ての廃棄物が同じゴミ置き場行きとなるという利点を有する。通常の廃棄物搬送では、１種類のゴミ容器しか必要とされず、３〜４台のゴミ収集車に代わって１台だけのゴミ収集車がそれらのゴミ容器を収集する。混合廃棄物、生物系廃棄物、ガラス廃棄物、金属廃棄物及び紙廃棄物のような全ての廃棄物が１つの袋に入れられる場合にも有利である。この場合、区分がない状態であり、それらの管搬送がより容易である。袋は分別センターにおいて自動的に取り除かれる。
【００５５】
本発明は、ＲＦＩＤ識別子を含む専用の閉鎖手段が各家庭に提供されるように、好ましい一実施形態に従って適用することができる。これは分別に役立つ。加えて、本発明による閉鎖手段とＲＦＩＤ識別子との組み合わせによって、どこで廃棄物処理システムのコストが発生するかを示すことが容易である。料金は以前よりも正確に廃棄物排出者に割り振ることができる。
【００５６】
好ましい一実施形態によれば、家庭は一定の廃棄物料金を負担し、分別センターにおいて分別されたゴミ袋ごとに控除を受ける。ＲＦＩＤ識別子の自動的な読取りに基づいて、システムは、控除が正確な対象に届くように、分別された廃棄物を情報システムによって割り振ることができる。
【００５７】
閉鎖手段とＲＦＩＤ識別子との組み合わせが最も好ましい実施形態であるが、システムは、所望であれば、使用準備が整っているＲＦＩＤ識別子を含むゴミ袋が閉鎖手段の代わりに使用される代替形態を排除するものではない。しかしながら、これには、各廃棄物区分用にＲＦＩＤ識別子を設けた別個のゴミ袋を必要とする。
【００５８】
家庭の識別と同様、分別センターにおけるＲＦＩＤ識別子に基づいた分別は非常に容易である。ＲＦＩＤ識別子は廃棄物分別に数多くの好条件を与える。
【００５９】
したがって、本発明は、廃棄物又はリサイクル可能な材料が手提げ袋、袋又はサック１に入った状態で搬送される、廃棄物処理システムにおける方法に関する。ＲＦＩＤ識別子３が設けられた閉鎖手段２を、閉鎖する際に使用するか、又は、廃棄物搬送において使用される当該手提げ袋、袋、サック若しくは同等物の閉鎖を確認するものとして使用する。
【００６０】
好ましい一実施形態によれば、当該方法では、好ましくはユーザーによって自由に選択される、プラスチック手提げ袋、プラスチックサック又はプラスチック袋のような手提げ袋、袋又はサック１を、廃棄物搬送において使用する。
【００６１】
好ましい一実施形態によれば、当該閉鎖手段２は、パターン、色、コード、表示又は同等物のような少なくとも１つの第１の可視的な識別子２１、２２、２３を含み、当該識別子２１、２２、２３は、閉鎖するのに当該閉鎖手段２が使用される、袋、手提げ袋、サック又は同等物に収容されている廃材又はリサイクル可能な材料の種類を規定する。
【００６２】
好ましい一実施形態によれば、当該閉鎖手段２は、家庭のようなユーザーコミュニティを表す、表示、コード又は同等物のような少なくとも１つの第２の可視的な識別子２４、２５を含む。
【００６３】
好ましい一実施形態によれば、当該閉鎖手段２は接着剤表面２０５を含み、当該接着剤表面２０５を用いて当該閉鎖手段を当該手提げ袋、袋又はサック１に取り付けることができる。
【００６４】
通常、接着剤表面２０５を片側面に有するテープが閉鎖手段２として使用される。
【００６５】
好ましい一実施形態によれば、当該閉鎖手段２は台紙部２０３を含み、当該台紙部２０３は、当該接着剤表面２０４を保護しており、当該閉鎖手段が当該手提げ袋、袋又はサックに取り付けられる前に剥離される。
【００６６】
好ましい一実施形態によれば、ＲＦＩＤ識別子の読取りユニットが当該廃棄物システムのゴミ置き場に関連して又は近接して配置され、当該読取りユニットは、当該ＲＦＩＤ識別子が与える情報に基づいて、当該廃棄物搬送システム又は当該廃棄物搬送システムの一部を制御するのに適している。
【００６７】
好ましい一実施形態によれば、当該方法では、廃棄物はＲＦＩＤ識別子３が与える情報に基づいて様々な区分に分別される。
【００６８】
好ましい一実施形態によれば、閉鎖手段２のＲＦＩＤ識別子３を用いて搬送システムの動作を最適化する。
【００６９】
好ましい一実施形態によれば、当該方法では、当該閉鎖手段は、複数の閉鎖手段２を含む閉鎖手段シート２００又は閉鎖手段ウェブ、例えばロールに構成され、当該シート又はウェブから閉鎖手段が必要に応じて個々に外される。
【００７０】
好ましい一実施形態によれば、閉鎖手段シート２００における隣接し合う閉鎖手段２間に切れ目２０１が形成され、当該切れ目２０１は最も好ましくは当該台紙部２０３の表面から表面へ延在している。
【００７１】
好ましい一実施形態によれば、閉鎖手段シート２００における本質的に隣接し合う閉鎖手段２間の当該台紙部２０３にミシン目２０２又は同等物が形成され、当該ミシン目２０２に沿って、当該閉鎖手段２を台紙部と共に当該シート２００から切り離すことができる。
【００７２】
好ましい一実施形態によれば、当該閉鎖手段を取り付ける際に当該接着剤表面の前面からの当該台紙部２０３の剥離を容易にするように、切れ目２０４又は同等物が当該台紙部２０３に形成される。
【００７３】
本発明はまた、当該廃棄物搬送において使用される袋、手提げ袋、サック又は同等物を閉鎖するか又は当該閉鎖を確認する閉鎖手段に関する。本発明による当該閉鎖手段２はＲＦＩＤ識別子３を含む。
【００７４】
好ましい一実施形態によれば、当該閉鎖手段２は、パターン、色、コード、表示又は同等物のような少なくとも１つの第１の可視的な識別子２１、２２、２３を含み、当該識別子２１、２２、２３は、閉鎖するのに当該閉鎖手段２の使用が適している、袋、手提げ袋、サック又は同等物に収容されている廃材又はリサイクル可能な材料の種類を規定する。
【００７５】
好ましい一実施形態によれば、当該閉鎖手段２は、家庭のようなユーザーコミュニティを表す、表示、コード又は同等物のような少なくとも１つの第２の可視的な識別子２４、２５を含む。
【００７６】
好ましい一実施形態によれば、当該閉鎖手段２は接着剤表面２０５を含み、当該接着剤表面２０５により当該閉鎖手段を対向面、より詳細には手提げ袋、袋若しくはサック又は同等物に取り付けることができる。
【００７７】
好ましい一実施形態によれば、当該閉鎖手段２は片側面に接着剤表面を有するテープを含む。
【００７８】
好ましい一実施形態によれば、当該閉鎖手段２は、複数の閉鎖手段を含むシート２００又はウェブ、例えばロールに構成され、当該シート又はウェブから閉鎖手段２が必要に応じて例えば個々に外される。
【００７９】
好ましい一実施形態によれば、当該閉鎖手段２は台紙部２０３を含み、当該台紙部２０３は、当該接着剤表面２０４を保護しており、当該閉鎖手段を取り付ける前に剥離されるのに適している。
【００８０】
好ましい一実施形態によれば、閉鎖手段シート２００における隣接し合う閉鎖手段２間に切れ目２０１が形成され、当該切れ目２０１は当該台紙部２０３の表面から表面へ延在している。
【００８１】
好ましい一実施形態によれば、閉鎖手段シート２００における本質的に隣接し合う閉鎖手段２間の当該台紙部２０３にミシン目２０２又は同等物が形成され、当該ミシン目２０２に沿って、当該閉鎖手段２を台紙部２０３と共に当該シート２００から切り離すことができる。
【００８２】
好ましい一実施形態によれば、当該閉鎖手段を取り付ける際に当該接着剤表面の前面からの当該台紙部２０３の剥離を容易にするように、切れ目２０４又は同等物が当該台紙部２０３に形成される。
【００８３】
さらに別の実施形態によれば、閉鎖手段２は、地方自治体のような地方廃棄物管理業者又は地方廃棄物管理団体の名称又は他の識別子を含む。
【００８４】
さらに別の実施形態によれば、ＲＦＩＤ識別子が内部に配置される、ケーブルタイのような結束手段が閉鎖手段として使用される。結束手段は、それ自体が当該技術分野において既知であるタング部を含み、このタング部は、ループ部を通って使用位置で螺合する。タング部の内表面は一般的に歯部を含み、ループ部は、使用位置でタング部が摺動してループから外れることはできずに通常は反対の締め付け方向にのみ摺動するようにタング部の歯部に合う保持手段を含む。
【００８５】
空気圧式廃棄物搬送システムに関連したＲＦＩＤ識別子の使用は、国際公開第２００５／１１８４３５号に記載されている。廃棄物を分別する際のＲＦＩＤ識別子の使用は、国際公開第２００６／０９６１０１に提示されている。
【００８６】
本発明が上記に提示した実施形態に限定されるのではなく、添付の特許請求の範囲内で変更することができることは当業者には明らかである。必要であれば、本明細書に提示された可能性のある特徴は他の特徴と共に互いに別個に使用することができる。
【図１】
0005746141.tif 000002
【図２】
0005746141.tif 000003
【図３】
0005746141.tif 000004
【図４】
0005746141.tif 000005
【図５】
0005746141.tif 000006
【図６】
0005746141.tif 000007
【図７】
0005746141.tif 000008
【図１１】
0005746141.tif 000009
【図８】
0005746141.tif 000010
【図９】
0005746141.tif 000011
【図１０】
0005746141.tif 000012